(57)【要約】【課題】床面の撓みを減少させて、着座した際に立ち上がり易く、さらに腰痛や床ずれが起こることを防止して健康上の問題点を軽減し、さらに折り畳んで保管することが容易であるとともに、保管の際にカビが生えることを防ぎ、再使用にも耐える強度や衛生面の向上を図ることができる折り畳み式ベッドを提供する。【解決手段】シート部3と、該シート部3を保持し折り畳み可能な矩形枠状のフレーム部2と、前記フレーム部2に揺動自在に連結され所定角度に固定される脚部30,60を備え、前記フレーム部2に固定され、前記シート部3を該シート部3の下面から支持する床板部16,26,55を備える。【選択図】図１
2018126279.tif 000002
【特許請求の範囲】
【請求項１】
シート部と、該シート部を保持し折り畳み可能な矩形枠状のフレーム部と、前記フレーム部に揺動自在に連結され所定角度に固定される脚部を備えた折り畳み式ベッドにおいて、
前記フレーム部に固定され、前記シート部を該シート部の下面から支持する床板部を備えたことを特徴とする折り畳み式ベッド。
【請求項２】
前記シート部は、長手方向に順次連続して配置された第１シート部と、第２シート部と、第３シート部を備え、
前記フレーム部は、前記第１シート部を保持する第１フレーム部と、前記第２シート部を保持する第２フレーム部と、前記第３シート部を保持する第３フレーム部を備え、
前記床板部は、前記第１フレーム部に固定され前記第１シート部を支持する第１床板部材と、前記第２フレーム部に固定され前記第２シート部を支持する第２床板部材と、前記第３フレーム部に固定され前記第３シート部を支持する第３床板部材を備えることを特徴とする請求項１に記載の折り畳み式ベッド。
【請求項３】
前記第１フレーム部の前記第２フレーム部側の端部は、前記第２フレーム部に、回動自在に連結され、
前記第１フレーム部を前記第２フレーム部に対して所定角度に固定する角度変更機構を備えたことを特徴とする請求項２に記載の折り畳み式ベッド。
【請求項４】
前記折り畳み式ベッドは、椅子部と、前記椅子部と分離・接合される机部とからなり、
前記椅子部は、前記シート部と、前記第１フレーム部と、前記第２フレーム部と、前記第１床板部材と、前記第２床板部材と、前記脚部と、前記角度変更機構と、を有し、
前記机部は、前記第３フレーム部と、前記第３床板部材と、前記脚部を有し、
前記シート部の前記第３シート部は、前記机部に着脱されることを特徴とする請求項３に記載の折り畳み式ベッド。
【請求項５】
前記椅子部と前記机部は、面ファスナーで分離・接合されることを特徴とする請求項４に記載の折り畳み式ベッド。
【請求項６】
前記シート部は、撥水加工されたカバーで被われていることを特徴とする請求項１ないし請求項５のいずれかに記載の折り畳み式ベッド。
【請求項７】
前記机部の前記脚部は、脚の長さを所定長さに変える機構を備えることを特徴とする請求項４に記載の折り畳み式ベッド。
【発明の詳細な説明】
【技術分野】
【０００１】
本発明は、主に、災害時において体育館や市民ホール等に避難した際に、これらの施設内に設置されて使用される折り畳み式ベッドに関するものである。
【背景技術】
【０００２】
従来、災害時において体育館や市民ホール等の施設に避難した際に、施設の床に直接横臥すると床面が硬くて冷たいので、避難者の健康を損ねる虞があった。しかし、災害等の緊急時用として、通常のベッドや布団を予め容易しておくことは、防災備品の収納スペースの問題から難しい。そこで、避難者が使用するための簡易の折り畳み式のベッドとして、アウトドア等で使用されるようなフレーム部材にシート部材が張設された折り畳み式ベッド（特許文献１参照）や、段ボール等により構成されて組立てて使用する折り畳み式ベッド等が使用されている（特許文献２参照）。
【先行技術文献】
【特許文献】
【０００３】
【特許文献１】特開２００２−２２３８８５号公報
【特許文献２】特開２００９−５９０２号公報
【発明の概要】
【発明が解決しようとする課題】
【０００４】
アウトドア等で使用されるような簡易の折り畳み式のベッドの一例として、特許文献１に示されるように、３つに折り畳み可能な金属パイプよりなる矩形状のフレーム部材に、金属パイプよりなる脚体が折り畳み可能に連結され、前記ベッドフレームにナイロン等のシート部材が張設されたものである。この折り畳みの式ベッドは、ベッドとして使用することもできるが、ベッドの背もたれの角度を変えて椅子としても使用することができる。
【０００５】
このような折り畳み式ベッドでは、矩形状のフレーム部材にシート部材が張設されてベッドの床面が構成されているので、使用者が床面に乗ると床面が撓んで沈み込むので、ベッドに使用者が横臥すると、寝返りが打ちにくくなって腰痛が生じたり、またベッドに腰掛けた際には、深く着座してしまうので、立ち上がりにくくなる等の不都合があった。特に使用者が高齢者や体が不自由な者である場合には、長時間ベッドに横たわっているので、床ずれが発生する等健康上の問題点が多い。
さらに、ベッドの背もたれを起こして椅子として使用している際に、背もたれにもたれ掛ると、椅子が転倒してしまう虞があった。
【０００６】
また、災害時に使用することを目的としたベッドとして、特許文献２に示されるような段ボール製組立式ベッドがある。このような段ボール製のベッドは、長期間倉庫等に保管すると、保管場所の環境によっては段ボールにカビが発生することがあり、さらに、使用して汚れが付着した際には完全に除去することが困難であり、衛生上の問題があった。また段ボールは湿気に弱く、避難生活が長期に亘った場合に強度が低下し、一度使用したものを再使用することは衛生上の問題もあり困難である。
【０００７】
そこで、上記した難点に鑑みて、本発明の目的は、床面の撓みを減少させて、着座した際に立ち上がり易く、さらに腰痛や床ずれが起こることを防止して健康上の問題点を軽減し、さらに折り畳んで保管することが容易でありとともに、保管の際にカビが生えることを防ぎ、再使用にも耐える強度や衛生面の向上を図ることができる折り畳み式ベッドを提供することである。
【課題を解決するための手段】
【０００８】
上記目的を達成するために、本発明は、シート部と、該シート部を保持し折り畳み可能な矩形枠状のフレーム部と、前記フレーム部に揺動自在に連結され所定角度に固定される脚部を備えた折り畳み式ベッドにおいて、
前記フレーム部に固定され、前記シート部を該シート部の下面から支持する床板部を備えたことを特徴とする折り畳み式ベッドである。
【０００９】
このような構成によれば、シート部がフレーム部に固定された床板部材により下面から支持されるので、使用者がベッドに横臥した際や座った際に、シート部が床板部材により支えられ、ベッド床面が撓んで沈み込むことがないので、横たわった際に、寝返りを打つことが容易になるとともに腰痛の発生を防ぐことができる。さらに、座った際に深く着座することがないので、容易に立ち上がることが可能となる。高齢者や体の不自由な者のように長時間ベッドに横たわっても、床ずれが発生しにくく健康上の問題点が発生することを防止することができる。さらに、フレーム部が折り畳み可能であるので、災害に備えた保管の際に必要とするスペースを小さくし、コンパクトに収納することができる。
【００１０】
さらに、ベッドがシート部、フレーム部および床板部で構成されているので、カビの発生を防止し、汚れも容易に除去することができるので、衛生上の問題点が発生しにくい。
【００１１】
前記構成において、前記シート部は、長手方向に順次連続して配置された第１シート部と、第２シート部と、第３シート部を備え、前記フレーム部は、前記第１シート部を保持する第１フレーム部と、前記第２シート部を保持する第２フレーム部と、前記第３シート部を保持する第３フレーム部を備え、前記床板部は、前記第１フレーム部に固定され前記第１シート部を支持する第１床板部材と、前記第２フレーム部に固定され前記第２シート部を支持する第２床板部材と、前記第３フレーム部に固定され前記第３シート部を支持する第３床板部材を備えるようにすることもできる。
【００１２】
このような構成によれば、シート部、フレーム部、床板部のそれぞれが、３つの部材から構成され、より小さく折り畳みコンパクトにすることができるので、保管の際に必要とするスペースをより少なくすることができる。
【００１３】
前記構成において、前記第１フレーム部の前記第２フレーム部側の端部を、前記第２フレーム部に、回動自在に連結し、前記第１フレーム部を前記第２フレーム部に対して所定角度に固定する角度変更機構を備えてもよい。
【００１４】
このように第１フレーム部と第２フレーム部回動自在に連結し、所定角度に固定する角度変更機構を設けることで、第１フレーム部、第１シート部、第１床板部材を背もたれとして、使用者の所望する角度に設定して固定できるので、使用者が長時間特定の姿勢をとることを強いられることがなく、腰痛を防ぐことができて、避難生活上の健康の問題点を軽減することができる。
【００１５】
前記構成において、前記折り畳み式ベッドは、椅子部と、前記椅子部と分離・接合される机部とからなり、
前記椅子部は、前記シート部と、前記第１フレーム部と、前記第２フレーム部と、前記第１床板部材と、前記第２床板部材と、前記脚部と、前記角度変更機構と、を有し、
前記机部は、前記第３フレーム部と、前記第３床板部材と、前記脚部を有し、
前記シート部の前記第３シート部は、前記机部に着脱させるようにしてもよい。
【００１６】
このような構成によれば、ベッドとして使用しない場合には、椅子部と机部を分離してそれぞれ椅子と机として使用することができ、避難生活時に、飲食物を机の上に載せることが可能となり、飲食物を床の上に置くことも段ボールの上に載せることがなく、避難生活時の衛生面を向上させることができる。
【００１７】
前記構成において、前記椅子部と前記机部が、面ファスナーで分離・接合されるようにしてもよい。
【００１８】
このような構成によれば、容易にベッドから椅子と机に変形して使用することができる。
【００１９】
前記構成において、前記シート部が、撥水加工されたカバーで被われているようにしてもよい。
【００２０】
このような構成によれば、シート部の汚れを容易に落とすことができるので、避難生活の衛生面を向上させることができる。
【００２１】
前記構成において、前記机部の前記脚部は、脚の長さを所定長さに変える機構を備えてもよい。
【００２２】
このような構成によれば、机の高さを使用者の所望する高さに変えて使用することが可能となり、使用者が良好な姿勢をとることができる。
【発明の効果】
【００２３】
本発明の折り畳み式ベッドによれば、高齢者や体の不自由な者のように長時間ベッドに横たわっても、横たわった際に、寝返りを打つことが容易になるとともに腰痛の発生を防ぐことができ、床ずれが発生しにくく健康上の問題点が発生することを防止することができ、座った際に深く着座せず容易に立ち上がることが可能となり、カビの発生を防止し、汚れも容易に除去することができるので、衛生上の問題点が発生しにくくなるとともに、災害に備えた保管の際に必要とするスペースを小さくし、コンパクトに収納することができる。
【図面の簡単な説明】
【００２４】
【図１】本願発明の第一の実施の形態の折り畳み式ベッドの斜視図である。
【図２】図１の折り畳み式ベッドの背もたれ部を起こした状態の斜視図である
【図３】図１の折り畳み式ベッドの椅子部と机部を分離した状態の斜視図である。
【図４】脚部を取り付けていない状態の椅子部の下面図である。
【図５】シート部の挿通部にシート張設部材を挿通して、側フレーム部材に取り付けた状態の図２におけるＶ―Ｖ矢視断面図である。
【図６】シート部を省略して、椅子部の背もたれ角度変更機構付近を右斜め後方から見た斜視図である。
【図７】背もたれ部の脚部およびストッパーリンク機構付近の斜視図である。
【図８】折り畳んだ状態の机部の下面図である。
【図９】折り畳んだ状態の折り畳み式ベッドの右側面図である。
【発明を実施するための形態】
【００２５】
以下、図１ないし図９に図示された本発明に係る第一の実施の形態の折り畳み式ベッド１について説明する。なお、本実施の形態の説明では、折り畳み式ベッド１に使用者が横臥した状態における頭側を後方とし、脚側を前方として説明する。
【００２６】
本折り畳み式ベッド１は、主に、被災地等において避難所として使用される体育館や集会所等の室内で使用されるものである。図１に示されるように、折り畳み式ベッド１は、折り畳み可能な矩形枠状のフレーム部２と、該フレーム部２に張設されるシート部３を備えており、互いに接合・分離可能な椅子部10と机部50とから構成されている。フレーム部２には、例えば化粧合板等からなる板状部材であって、シート部３をシート部３の下面から支持する床板部８が取り付けられている。
【００２７】
折り畳み式ベッド１は、椅子部10と机部50が接合した状態では、図１に示されるようにベッドとして使用され、フレーム部２は、折り畳み式ベッド１の後方から前方に向かって位置している第１フレーム部12、第２フレーム部21、第３フレーム部51で構成されている。床板部８は、第１床板部材16、第２床板部材26、第３床板部材55から構成されており、それぞれ第１フレーム部12、第２フレーム部21、第３フレーム部51に取り付けられている。
【００２８】
接合された椅子部10と机部50の上面を覆うようにシート部３が設けられており、シート部３でベッドの床面を構成している。シート部３は、例えば外側が撥水加工された布製のカバー３ａ内に、例えばウレタン製のマット３ｂが内蔵されたもので、長手方向に順次連続して、前方から後方に向かって配置された、第１シート部４、第２シート部５および第３シート部６により構成されている。第１シート部４、第２シート部５および第３シート部６の袋状のカバー４ａ，５ａ，６ａの内部には、それぞれマット４ｂ，５ｂ，６ｂが内蔵されている。第１シート部４の両方の側端部４ｃおよび後端部４ｄ、第２シート部５の両方の側端部５ｃおよび前端部には、後述する棒状のシート張設部材７が挿通される袋状に形成され両端が開口した挿通部４ｅ，５ｅが設けられている。第３シート部６の前端部６ｄには、縁に沿ってシート接合用面ファスナー46が取り付けられている。該シート接合用面ファスナー46は、机部50の前端面に設けられたシート接合用面ファスナー58に着脱されるものであって、机部50の上面が第３シート部６で覆われてシート接合用面ファスナー58に固定されると、机部50はベッドにおける脚乗せ部70となる。折り畳み式ベッド１は、ベッドの状態において、図２に示されるように、後述する背もたれ角度変更機構40により、背もたれ部11を所望する角度に変更して固定することができる。
【００２９】
折り畳み式ベッド１は、図３に示されるように椅子部10と机部50が分離した状態では、背もたれ部11を備えた椅子と、高さを変更することのできる机として使用することができる。
【００３０】
椅子部10は、図２および図３に示されるように、背もたれ部11、座部20、および３つの脚部30を備えている。背もたれ部11は、座部20に揺動自在に連結され、背もたれ角度変更機構40により所望する角度に変更して固定される。図４は、便宜的に脚部30が取り付けられていない状態の椅子部10を下方から視た図を示している。第１床板部材16および第２床板部材26をハッチを入れて示している。
【００３１】
図３および図４に示されるように、背もたれ部11は、前述した第１フレーム部12、第１シート部４、第１床板部材16から構成されている。第１フレーム部12はコの字状に組立てられており、第１フレーム部12に第１シート部４が保持され、第１シート部４の下方に位置して、第１フレーム部12の上面12ａと略面一になるように第１床板部材16が取り付けられて、第１シート部４が第１床板部材16により支持されている（図４参照）。
【００３２】
第１フレーム部12は、図４に示されるように、後フレーム部材13と、一対の側フレーム部材14と、後フレーム部材13と側フレーム部材14を連結する連結角部材15を備えている。後フレーム部材13および側フレーム部材14は、図５に示されるように、アルミ製角パイプが用いられており、その内部は後述する棒状のシート張設部材７が挿通される挿通孔13ａ、14ａが設けられている。後フレーム部材13の上面13ｂおよび側フレーム部材14の上面14ｂには、略４mm〜５mm程度の幅の開口部13ｃ，14ｃが長手方向に沿って設けられている。開口部13ｃ，14ｃの幅は、棒状のシート張設部材７の直径よりも狭くされており、挿通孔13ａ，14ａに挿通されたシート張設部材７は抜け落ちることがない。
【００３３】
連結角部材15は、断面形状が矩形状で上面視において略Ｌ字型に形成されており、それぞれの端部15ａが、後フレーム部材13の挿通孔13ａ、および側フレーム部材14の挿通孔14ａに嵌合されて固定される。
【００３４】
シート部３の第１シート部４の両方の側端部４ｃおよび後端部４ｄに設けられた挿通部４ｅに、棒状のシート張設部材７が挿通される。シート張設部材７は、第１シート部４の側端部４ｃおよび後端部４ｄとともに、それぞれ側フレーム部材14の挿通孔14ａ、後フレーム部材13の挿通孔13ａに挿通される。開口部13ｃ，14ｃが上方に開口されるように、後フレーム部材13および側フレーム部材14は配置され、後フレーム部材13の左右両方の端部13ｄのそれぞれに、連結角部材15を介して、側フレーム部材14の一方の端部14ｄが取り付けられて、第１フレーム部12がコの字状に組立てられるとともに、第１シート部４が第１フレーム部12に張設される。
【００３５】
図４に示されるように、第１シート部４の下面側に位置して、第１フレーム部12の内側と略同じ大きさであって矩形状の板である第１床板部材16が、床板支持部材17および床板支持パイプ18を介して第１フレーム部12に取り付けられている。該第１床板部材16は、例えば化粧合板等が用いられており充分な強度を備えている。床板支持部材17はアルミ製角パイプであって、第１床板部材16の下面16ｂの後端部16ｃに固着されている。床板支持パイプ18はアルミ製丸パイプであって、２本の床板支持部材17は床板支持部材17と平行に前後方向に所定間隔を開けて、第１床板部材16の下面16ｂに取り付けられている。
【００３６】
このように一体となった第１床板部材16、床板支持部材17、床板支持パイプ18が、第１フレーム部12に取り付けられる。床板支持部材17が後フレーム部材13に、２本の床板支持パイプ18のそれぞれの両端が側フレーム部材14にねじ９でもって取り付けられ、第１床板部材16は第１フレーム部12に固定される。
【００３７】
座部20は、コの字状の第２フレーム部21を備え、第２フレーム部21に第２シート部５が保持され、第２シート部５の下方に位置して、第２フレーム部21の上面21ａと略面一になるように第２床板部材26が取り付けられて、第２シート部５が第２床板部材26により支持されている。
【００３８】
第２フレーム部21は、図４に示されるように、前フレーム部材22と、一対の側フレーム部材23と、後フレーム部材24と、前フレーム部材22と側フレーム部材23を連結する連結角部材25を備えている。第２フレーム部21の側フレーム部材23の長さは、第１フレーム部12の側フレーム部よりも長く構成されているが、第２フレーム部21の前フレーム部材22、側フレーム部材23、連結角部材25は、第１フレーム部12の後フレーム部材13、側フレーム部材14、連結角部材15と略同様に構成されている。
【００３９】
第２シート部５の両方の側端部５ｃおよび前端部５ｄに設けられた挿通部５ｅに挿通された棒状のシート張設部材７により、第２シート部５が第２フレーム部21に張設される。後フレーム部材24は、図４に示されるように、例えばアルミ製のパイプが前方に向かって湾曲して形成されており、後述する背もたれ角度変更機構40の掛止フレーム42に取り付けられた掛止受部43の掛止凹部43ａが係合される。
【００４０】
図３に示されるように、第２フレーム部21の前フレーム部材22の前面22ｅの左右両端には、後述する机部50の後面に取り付けられた面ファスナー57と接合する面ファスナー45が接着されている。
【００４１】
図４に示されるように、第２シート部５の下面側に位置して、第２フレーム部21の内側と略同じ大きさであって矩形状の板である第２床板部材26が、床板支持部材27および床板支持パイプ28を介して第２フレーム部21に取り付けられている。第２床板部材26は、第１床板部材16と同様に、例えば化粧合板等が用いられて充分な強度を備えている。床板支持部材27は例えばアルミ製角パイプであって、第２床板部材26の下面26ｂの前端部26ｃに固着されている。床板支持パイプ28は例えばアルミ製丸パイプであって、２本の床板支持部材27は床板支持部材27と平行に前後方向に所定間隔を開けて、第２床板部材26の下面に取り付けられている。
【００４２】
このように一体となった第２床板部材26、床板支持部材27、床板支持パイプ28が、第２フレーム部21に床板支持パイプ28の両端がねじ９でもって取り付けられ、第２床板部材26は第２フレーム部21に固定される。第２床板部材26の裏面には、第２床板部材26の前端部より第３シート部６の前後方向の長さ分程度に位置して、左右方向に指向して、シート接合用面ファスナー46が接着されており、椅子部10と机部50が分離した際に、第３シート部６を第２床板部材26の裏側に固定することができるようになっている。
【００４３】
図６に示されるように、座部20の両方の側フレーム部材23の後方端部から所定距離に、それぞれ背もたれ部支持ブラケット41が取り付けられている、背もたれ部支持ブラケット41は、上方に向かって一対の突片41ａが突設されている。背もたれ部11の側フレーム部材14の前方端部は、一対の突片41ａに挟まれてピン29で固定されており、背もたれ部11の第１フレーム部12は、座部20の第２フレーム部21に回動自在に連結されている。
【００４４】
図６に示されるように、背もたれ部11には、背もたれ角度変更機構40が設けられている。角度変更機構40は、背もたれ部11の両方の側フレーム部材14の背もたれ部支持ブラケット41が取り付けられた位置より若干後方に位置して搖動自在に取り付けられた掛止フレーム42と、掛止フレーム42に取り付けられた掛止受部43と、座部20の後フレーム部材24とからなる。
【００４５】
掛止フレーム42は、例えば金属製のアルミ製のパイプからなり、左右方向に指向した水平フレーム部42ａの両端が折り曲げられて、少し広がりながら前方に延出するように側フレーム部42ｂが設けられたものである。側フレーム部42ｂには、例えば樹脂製の掛止受部43が取り付けられている。掛止受部43は、側フレーム部42ｂの長手方向に沿って掛止凹部43ａが複数形成されており、所定の掛止凹部43ａを座部20の後フレーム部材24に掛合することにより、背もたれ部11を座部20に対して所定角度に変更して固定することができる。
【００４６】
椅子部10には、図３に示されるように、コの字状のフレームからなる脚部30が、座部20の前後方向の両端に位置し、背もたれ部11の略後端に位置して、それぞれ連結部材34を介して連結ピン35でもって揺動自在に取り付けられている。
【００４７】
図６に示されるように、脚部30は、下フレーム部材31の両端に、連結角部材33を介して側フレーム部材25ｂが取りつけられてコの字型に形成されている。側フレーム部材25ｂの下フレーム部材31と反対側の端部には、側面視において略Ｌ字型の例えば樹脂製の連結部材34が固定されている。
【００４８】
連結部材34の側フレーム部材25ｂ側の一端は、側フレーム部材25ｂが嵌合される筒状部34ａとなっており、該筒状部34ａに側フレーム部材25ｂが嵌合された後、ネジにより一体に固定されている。連結部材34の第１フレーム部12の側フレーム部材14、または第２フレーム部21の側フレーム部材23に取り付けられる側に向かって、筒状部34ａから二つの取付片部34ｂが延出している。取付片部34ｂでもって側フレーム部材14、側フレーム部材23を挟み込んで連結ピン35で連結し、脚部30は、第１フレーム部12および第２フレーム部21に揺動自在に連結されている。
【００４９】
図３に示されるように、脚部30と、右側の側フレーム部材14または側フレーム部材23の間には、ストッパーリンク機構36が設けられている。ストッパーリンク機構36は、図７に示されるように、突片37ａが形成された第１リンク部材37と、該突片37ａが掛合する凹部38ａが形成された第２リンク部材38とがピンで回動自在に連結され、第１リンク部材37の端部が、脚部30の側フレーム部材32に回動自在に連結され、第２リンク部材38の端部が、側フレーム部材14もしくは側フレーム部材23に回動自在に連結されたものである。
【００５０】
脚部30が折り畳まれるとストッパーリンク機構36も折り畳まれ、脚部30が側フレーム部材14，23に対して所定角度開かれると、連結部材34の筒状部34ａの上面が側フレーム部材14，23の下面に当接されるとともに、第１リンク部材37の突片37ａが第２リンク部材38の凹部38ａに掛合されて、脚部30の所定角度以上の回動を防いでいる。
【００５１】
図３および図８に示されるように、机部50は、前フレーム部材52、後フレーム部材53、および一対の側フレーム部材54が矩形状に組立てられた第３フレーム部51に、天板としての第３床板部材55が取り付けられ、第３フレーム部51の左右両側に折り畳み可能な脚部60がそれぞれ設けられたものである。
【００５２】
第３床板部材55の下方に、第３フレーム部51を補強するための補強棹56が設けられている。補強棹56は、左右方向に指向して、第３フレーム部51の前後方向の略中央に位置して、その両端が一対の側フレーム部材54のそれぞれに固定されている。
【００５３】
脚部60は、一対の脚61の上端が連結パイプ62で連結されており、それぞれの脚61と連結パイプ62が補強梁63により補強されているものである。脚部60は、前フレーム部材52および後フレーム部材53のそれぞれの端部近傍に揺動自在に支持され、第３フレーム部51に対して、一体に揺動される。
【００５４】
脚61は、図３に示されるように、例えばアルミ等の金属製の外筒61ａと内筒61ｂとからなり、外筒61ａの上端は連結パイプ62に固定されており、下端には内筒61ｂの上端が上下方向に摺動可能に嵌装されている。内筒61ｂを外筒61ａに対して一方向に向かって回転させると、内筒61ｂは外筒61ａに固定され、内筒を外筒61ａに対して他方に向かって回転させると、内筒61ｂの外筒61ａとの固定は解除される。内筒61ｂを上下に摺動させた後、回転させて外筒61ａに固定することができる。脚61がこのような機構を備えたことにより、脚を所定長さにして、机部を所望する高さにすることができる。
【００５５】
脚部60と前フレーム部材52もしくは、後フレーム部材53との間には、脚部30に設けられたものと同様なストッパーリンク機構64が設けられている。ストッパーリンク機構64は、突片65ａが形成された第１リンク部材65と、該突片65ａが掛合する凹部66ａが形成された第２リンク部材66とがピンで回動自在に連結され、第１リンク部材65の端部は、脚部30の前フレーム部材52もしくは後フレーム部材53に回動自在に連結され、第２リンク部材66の端部は脚61に回動自在に連結されている。
【００５６】
脚部60が折り畳まれるとストッパーリンク機構64も折り畳まれ、脚部60が第３床板部材55に対して直角に開かれると、第１リンク部材65の突片65ａが第２リンク部材66の凹部66ａに掛合されるとともに、第１リンク部材65と第２リンク部材66が一直線上に位置して梁となり、脚部60は第３床板部材55に対して直角の角度で強固に固定される。
【００５７】
図３に示されるように、机部50の第３フレーム部51の後面、すなわち後フレーム部材53の後面の左右には、面ファスナー57が接着されている。机部50の第３フレーム部51の前面、すなわち前フレーム部材52の面には、上縁に沿って左右方向に亘って、シート部３のシート接合用面ファスナー６ｅと接合されるシート接合用面ファスナー58が接着されている。
【００５８】
机部50と椅子部10を一体に接合する際には、机部50の面ファスナー57を、椅子部10の座部20の第２フレーム部21の前面に接着された面ファスナー45と接合する。その後、椅子部10に取り付けられているシート部３の第３シート部６を、図１に示されるように、机部50の第３床板部材55を覆うように被せて、第３シート部６のシート接合用面ファスナー46を、机部50の前面に接着させたシート接合用面ファスナー58に接合し、机部50と椅子部10は強固に接合され、ベッドとして使用することができる。
【００５９】
椅子部10と机部50を分離した状態にするには、シート部３のシート接合用面ファスナー58を、机部50のシート接合用面ファスナー46から取り外し、椅子部10と机部50を接合している面ファスナー45，57を分離する。その後第３シート部は、座部20の前端部で折り返して座部20の裏面に沿わせ、シート部３のシート接合用面ファスナー58を、座部20の裏面に設けられたシート接合用面ファスナー46に接着させて固定する。分離された机部50は、脚部60を所望する長さに調節して、机として使用することができる。
【００６０】
折り畳み式ベッド１を保管しておく際には、図９に示されるように、椅子部10と机部50を分離し、それぞれの脚部30，60をフレーム２側に折り畳むとともに背もたれ部11を座部20に接するまで折り畳み、椅子部10と机部50を重ねる。このように折り畳み式ベッド１はコンパクトに畳むことができるので、保管するためのスペースを減少させることができる。
【００６１】
本実施の形態の折り畳み式ベッドは、前記したように構成されているので、以下のような効果を奏する。
【００６２】
本実施の形態の折り畳み式ベッド１は、シート部３と、該シート部３を保持し折り畳み可能な矩形枠状のフレーム部２と、フレーム部２に揺動自在に連結され所定角度に固定される脚部30，60を備え、フレーム部２に固定され、シート部３をシート部３の下面から支持する床板部８を備えているので、シート部３がフレーム部２に固定された床板部８により下面から支持されるので、使用者が折り畳み式ベッド１に横臥した際や座った際に、シート部３が床板部８により支えられ、ベッド床面が撓んで沈み込むことがないので、横たわった際に、寝返りを打つことが容易になるとともに腰痛の発生を防ぐことができる。さらに、座った際に深く着座することがないので、容易に立ち上がることが可能となる。高齢者や体の不自由な者のように長時間ベッドに横たわっても、床ずれが発生しにくく健康上の問題点が発生することを防止することができる。さらに、フレーム部２が折り畳み可能であるので、災害に備えた保管の際に必要とするスペースを小さくし、コンパクトに収納することができる。
【００６３】
さらに、折り畳み式ベッド１が、撥水加工されたシート部３、アルミ製のフレーム部、合板性の床板部で構成されているので、カビの発生を防止し、汚れも容易に除去することができるので、衛生上の問題点が発生しにくい。
【００６４】
また、シート部３は、長手方向に順次連続して配置される第１シート部４、第２シート部５および第３シート部６から構成され、フレーム部２は、第１シート部４を保持する第１フレーム部12と、第２シート部５を保持する第２フレーム部21と、第３シート部６を保持する第３フレーム部51から構成され、床板部８は、第１フレーム部12に固定され第１シート部４を下面から支持する第１床板部材16と、第２フレーム部21に固定され第２シート部５を下面から支持する第２床板部材26と、第３フレーム部51に固定され第３シート部６を下面から支持する第３床板部材55を備えているので、シート部３、フレーム部２、床板部８のそれぞれが、３つの部材から構成され、より小さく折り畳みコンパクトにすることができるので、保管の際に必要とするスペースをより少なくすることができる。
【００６５】
さらに、第１フレーム部12の第２フレーム部21側の端部を、第２フレーム部21に、回動自在に連結し、第１フレーム部12を第２フレーム部21に対して所定角度に固定する背もたれ角度変更機構40を備えているので、第１フレーム部12、第１シート部４、第１床板部材16を背もたれとして、使用者の所望する角度に設定して固定できるので、使用者が長時間特定の姿勢をとることを強いられることがなく、腰痛を防ぐことができて、避難生活上の健康の問題点を軽減することができる。
【００６６】
また、背もたれ角度変更機構40が、掛止フレーム42に設けられた掛止受部43の掛止凹部43ａを、第２フレーム部21の後フレーム部材24に掛合することにより角度を変更するので、背もたれ部11の角度変更を容易にすることが可能となる。
【００６７】
折り畳み式ベッド１は、椅子部10と、椅子部10と分離・接合可能な机部50とからなり、椅子部10は、シート部３と、第１フレーム部12、第２フレーム部21、第１床板部材16、第２床板部材26、脚部30および背もたれ角度変更機構40を備え、机部50は、第３フレーム部51、第３床板部材55および脚部60を備えており、シート部３の第３シート部６は、机部50に着脱可能となっているので、ベッドとして使用しない場合には、椅子部10と机部50を分離してそれぞれ椅子と机として使用することができる。よって、避難生活時に、飲食物を机の上に載せることが可能となり、飲食物を床の上に置くことも段ボールの上に載せることがなく、避難生活時の衛生面を向上させることができる。
【００６８】
さらに、椅子部10と机部50が、面ファスナー45，57で分離・接合されるので、必要に応じて容易にベッドから椅子と机に変形して使用することができる。
【００６９】
また、シート部３は、マット３ｂが撥水加工されたカバー３ａで被われるように構成されているので、シート部３の汚れを容易に落とすことができるので、避難生活の衛生面をより向上させることができる。
【００７０】
さらにまた、机部50の脚部60の脚61は、外筒61ａと内筒61ｂから構成されて、内筒61ｂを外筒61ａに対して上下にスライドすることが可能で、内筒61ｂを一方に回転することにより外筒61ａに対して固定し、反対方向に回転することによりた固定を解除することができる機構を備えているので、机の高さを使用者が所望する高さに変更することが可能となり、使用者が良好な姿勢をとることができる。
【００７１】
以上、本発明の実施の形態について詳細に説明したが、本発明は前記した実施の形態に限定されるものではなく、その他種々の変更が可能である。
【符号の説明】
【００７２】
１…折り畳み式ベッド、２…フレーム部、３…シート部、４…第１シート部、５…第２シート部、６…第３シート部、７…シート張設部材、８…床板部、９…ねじ、
10…椅子部、11…背もたれ部、12…第１フレーム部、13…後フレーム部材、14…側フレーム部材、15…連結角部材、16…第１床板部材、17…床板支持部材、18…床板支持パイプ、
20…座部、21…第２フレーム部、22…前フレーム部材、23…側フレーム部材、24…後フレーム部材、25…連結角部材、26…第２床板部材、27…床板支持部材、28…床板支持パイプ、29…ピン、
30…脚部、31…下フレーム部材、32…側フレーム部材、33…連結角部材、34…連結部材、35…連結ピン、36…ストッパーリンク機構、37…第１リンク部材、38…第２リンク部材、
40…背もたれ角度変更機構、41…背もたれ部支持ブラケット、42…掛止フレーム、43…掛止受部、
50…机部、51…第３フレーム部、52…前フレーム部材、53…後フレーム部材、54…側フレーム部材、55…第３床板部材、56…補強棹、57…面ファスナー、58…シート接合用面ファスナー、
60…脚部、61…脚、62…連結パイプ、63…補強梁、64…ストッパーリンク機構、65…第１リンク部材、66…第２リンク部材、
70…脚乗せ部。
【図１】
2018126279.tif 000003
【図２】
2018126279.tif 000004
【図３】
2018126279.tif 000005
【図４】
2018126279.tif 000006
【図５】
2018126279.tif 000007
【図６】
2018126279.tif 000008
【図７】
2018126279.tif 000009
【図８】
2018126279.tif 000010
【図９】
2018126279.tif 000011
【手続補正書】
【提出日】平成29年6月12日(2017.6.12)
【手続補正１】
【補正対象書類名】特許請求の範囲
【補正対象項目名】全文
【補正方法】変更
【補正の内容】
【特許請求の範囲】
【請求項１】
シート部と、該シート部を保持し折り畳み可能な矩形枠状のフレーム部と、前記フレーム部に揺動自在に連結され所定角度に固定される脚部を備えた折り畳み式ベッドにおいて、
前記フレーム部に固定され、前記シート部を該シート部の下面から支持する床板部を備え、
前記床板部は、板状部材であって、
前記シート部は、マットを備えたことを特徴とする折り畳み式ベッド。
【請求項２】
前記シート部は、長手方向に順次連続して配置された第１シート部と、第２シート部と、第３シート部を備え、
前記フレーム部は、前記第１シート部を保持する第１フレーム部と、前記第２シート部を保持する第２フレーム部と、前記第３シート部を保持する第３フレーム部を備え、
前記床板部は、前記第１フレーム部に固定され前記第１シート部を支持する第１床板部材と、前記第２フレーム部に固定され前記第２シート部を支持する第２床板部材と、前記第３フレーム部に固定され前記第３シート部を支持する第３床板部材を備え、
前記第１フレーム部の前記第２フレーム部の側の端部は、前記第２フレーム部に、回動自在に連結され、
前記第１フレーム部の前記第２フレーム部の側と反対側の端部に、前記脚部が連結され、
前記第２フレーム部および第３フレーム部の四隅に、前記脚部が連結されたことを特徴とする請求項１に記載の折り畳み式ベッド。
【請求項３】
前記シート部の前記第１フレーム部および前記第２フレーム部に固定される端部には、棒状のシート張設部材が挿通される袋状の挿通部が形成され、
前記第１フレーム部および前記第２フレーム部は、前記シート張設部材７が挿通される挿通孔が長手方向に指向して設けられ、
前記第１フレーム部および前記第２フレーム部には、前記挿通部と連通し、前記シート張設部材の幅よりも狭い開口部が長手方向に沿って形成され、
前記シート部は、前記挿通部に前記シート張設部材が挿通されて、前記挿通孔に前記シート張設部材が挿通されることにより、前記第１フレーム部および前記第２フレーム部に張設されることを特徴とする請求項２に記載の折り畳み式ベッド。
【請求項４】
前記第１フレーム部および第２フレーム部は、断面形状が矩形状であることを特徴とする請求項２または請求項３に記載の折り畳み式ベッド。
【請求項５】
前記折り畳み式ベッドは、椅子部と、前記椅子部と分離・接合される机部とからなり、
前記椅子部は、前記シート部と、前記第１フレーム部と、前記第２フレーム部と、前記第１床板部材と、前記第２床板部材と、前記脚部と、を有し、
前記机部は、前記第３フレーム部と、前記第３床板部材と、前記脚部を有し、
前記シート部の前記第３シート部は、前記机部に着脱されることを特徴とする請求項２ないし請求項４のいずれかに記載の折り畳み式ベッド。
【請求項６】
前記椅子部と前記机部は、面ファスナーで分離・接合されることを特徴とする請求項５に記載の折り畳み式ベッド。
【請求項７】
前記机部の前記脚部は、脚の長さを所定長さに変える機構を備えることを特徴とする請求項５または請求項６に記載の折り畳み式ベッド。
【請求項８】
前記第１フレーム部を前記第２フレーム部に対して所定角度に固定する角度変更機構を備えたことを特徴とする請求項２ないし請求項７のいずれかに記載の折り畳み式ベッド。
【請求項９】
前記シート部は、撥水加工されたカバーで被われていることを特徴とする請求項１ないし請求項８のいずれかに記載の折り畳み式ベッド。
【手続補正２】
【補正対象書類名】明細書
【補正対象項目名】０００８
【補正方法】変更
【補正の内容】
【０００８】
上記目的を達成するために、本発明は、シート部と、該シート部を保持し折り畳み可能な矩形枠状のフレーム部と、前記フレーム部に揺動自在に連結され所定角度に固定される脚部を備えた折り畳み式ベッドにおいて、
前記フレーム部に固定され、前記シート部を該シート部の下面から支持する床板部を備え、
前記床板部は、板状部材であって、
前記シート部は、マットを備えたことを特徴とする折り畳み式ベッドである。
【手続補正書】
【提出日】平成29年7月5日(2017.7.5)
【手続補正１】
【補正対象書類名】特許請求の範囲
【補正対象項目名】全文
【補正方法】変更
【補正の内容】
【特許請求の範囲】
【請求項１】
シート部と、該シート部を保持し折り畳み可能な矩形枠状のフレーム部と、前記フレーム部に揺動自在に連結され所定角度に固定される脚部を備えた折り畳み式ベッドにおいて、
前記フレーム部に固定され、前記シート部を該シート部の下面から支持する床板部を備え、
前記床板部は、板状部材であって、
前記シート部は、マットを備えたことを特徴とする折り畳み式ベッド。
【請求項２】
前記シート部は、長手方向に順次連続して配置された第１シート部と、第２シート部と、第３シート部を備え、
前記フレーム部は、前記第１シート部を保持する第１フレーム部と、前記第２シート部を保持する第２フレーム部と、前記第３シート部を保持する第３フレーム部を備え、
前記床板部は、前記第１フレーム部に固定され前記第１シート部を支持する第１床板部材と、前記第２フレーム部に固定され前記第２シート部を支持する第２床板部材と、前記第３フレーム部に固定され前記第３シート部を支持する第３床板部材を備え、
前記第１フレーム部の前記第２フレーム部の側の端部は、前記第２フレーム部に、回動自在に連結され、
前記第１フレーム部の前記第２フレーム部の側と反対側の端部に、前記脚部が連結され、
前記第２フレーム部および第３フレーム部の四隅に、前記脚部が連結されたことを特徴とする請求項１に記載の折り畳み式ベッド。
【請求項３】
前記シート部の前記第１フレーム部および前記第２フレーム部に固定される端部には、棒状のシート張設部材が挿通される袋状の挿通部が形成され、
前記第１フレーム部および前記第２フレーム部は、前記シート張設部材７が挿通される挿通孔が長手方向に指向して設けられ、
前記第１フレーム部および前記第２フレーム部には、前記挿通孔と連通し、前記シート張設部材の幅よりも狭い開口部が長手方向に沿って形成され、
前記シート部は、前記挿通部に前記シート張設部材が挿通されて、前記挿通孔に前記シート張設部材が挿通されることにより、前記第１フレーム部および前記第２フレーム部に張設されることを特徴とする請求項２に記載の折り畳み式ベッド。
【請求項４】
前記第１フレーム部および第２フレーム部は、断面形状が矩形状であることを特徴とする請求項２または請求項３に記載の折り畳み式ベッド。
【請求項５】
前記折り畳み式ベッドは、椅子部と、前記椅子部と分離・接合される机部とからなり、
前記椅子部は、前記シート部と、前記第１フレーム部と、前記第２フレーム部と、前記第１床板部材と、前記第２床板部材と、前記脚部と、を有し、
前記机部は、前記第３フレーム部と、前記第３床板部材と、前記脚部を有し、
前記シート部の前記第３シート部は、前記机部に着脱されることを特徴とする請求項２ないし請求項４のいずれかに記載の折り畳み式ベッド。
【請求項６】
前記椅子部と前記机部は、面ファスナーで分離・接合されることを特徴とする請求項５に記載の折り畳み式ベッド。
【請求項７】
前記机部の前記脚部は、脚の長さを所定長さに変える機構を備えることを特徴とする請求項５または請求項６に記載の折り畳み式ベッド。
【請求項８】
前記第１フレーム部を前記第２フレーム部に対して所定角度に固定する角度変更機構を備えたことを特徴とする請求項２ないし請求項７のいずれかに記載の折り畳み式ベッド。
【請求項９】
前記シート部は、撥水加工されたカバーで被われていることを特徴とする請求項１ないし請求項８のいずれかに記載の折り畳み式ベッド。